(57)【特許請求の範囲】
【請求項１】
タスクを実行するための装置であって、当該装置は、
前記タスクがユーザにより開始されるとモバイル通知デバイスが当該装置の近くにある場合に前記モバイル通知デバイスを自動的に検出し、
前記タスクを前記モバイル通知デバイスに関連付け、
ワイヤレス通信ネットワークを介して前記モバイル通知デバイスに通知メッセージを通信するように構成され、
前記通知メッセージは、前記タスクに関連した情報を有する、装置。
【請求項２】
当該装置は、短距離無線通信技術を用いてＩＤ要求を送出し、前記モバイル通知デバイスからＩＤを受信することにより、前記モバイル通知デバイスを検出するように構成される、請求項１に記載の装置。
【請求項３】
当該装置は、４メートルより小さい範囲内、又は、１メートルより小さい範囲内でのみ通信するように構成された短距離コミュニケータを有する、請求項１に記載の装置。
【請求項４】
当該装置は、身体結合通信技術を用いて前記モバイル通知デバイスを検出するように構成される、請求項１に記載の装置。
【請求項５】
当該装置は、オーブン又は洗浄機などのキッチン家電を有する、請求項１に記載の装置。
【請求項６】
当該装置は、公共交通機関のユーザインタラクション端末を有する、請求項１に記載の装置。
【請求項７】
ユーザに通知するための通知システムであって、
タスクを実行するように構成された装置と、
前記タスクについて前記ユーザに通知するためのモバイル通知デバイスとを有し、
前記装置は、前記タスクがユーザにより開始されると前記モバイル通知デバイスが前記装置の近くにある場合に前記モバイル通知デバイスを自動的に検出し、前記タスクを前記モバイル通知デバイスと関連付けるように構成され、
前記装置及び通知デバイスは、ワイヤレス通信ネットワークを介して通知メッセージを通信するように構成され、
前記通知メッセージは、前記タスクに関する情報を有する、通知システム。
【請求項８】
前記ワイヤレス通信ネットワークは、ＷＬＡＮ又はセルラーネットワークである、請求項７に記載の通知システム。
【請求項９】
装置のタスクについてユーザに通知するためのモバイル通知デバイスであって、当該デバイスは、
前記タスクがユーザにより開始されると、短距離通信技術、ＷＬＡＮ、セルラーネットワーク又は身体結合通信技術を用いて前記タスクを実行するための装置にＩＤを通信し、
前記装置からワイヤレス通信ネットワークを介して通知メッセージを受信し、
前記通知メッセージを前記ユーザに提示することにより前記ユーザに通知するように構成される、モバイル通知デバイス。
【請求項１０】
前記モバイル通知デバイスは、モバイルフォン、腕時計、ブレスレット、ネックレス、メガネ、リング又はスマートテキスタイルである、請求項９に記載のモバイル通知デバイス。
【請求項１１】
前記ユーザから指示を受信するためのユーザ入力モジュールと、
前記通知メッセージが他の通知デバイスに送信される必要があることを示すルート変更指示をユーザ入力を介して前記ユーザから受信し、無線ネットワークによって前記装置にルート変更メッセージを送信するように構成されたプロセッサとを有する、請求項９に記載のモバイル通知デバイス。
【請求項１２】
装置のタスクについてユーザに通知する方法であって、
前記タスクがユーザにより開始されるとモバイル通知デバイスが前記装置の近くにある場合に前記モバイル通知デバイスを自動的に検出するステップと、
前記タスクを前記モバイル通知デバイスと関連付けるステップと、
ワイヤレス通信ネットワークを介して前記モバイル通知デバイスに通知メッセージを通信するステップとを有し、
前記通知メッセージは、前記タスクに関する情報を有する、方法。
【請求項１３】
装置のタスクについてモバイル通知デバイスのユーザに通知する方法であって、
前記タスクがユーザにより開始されると、短距離通信技術、ＷＬＡＮ、セルラーネットワーク又は身体結合通信技術を用いて前記タスクを実行するための装置にＩＤを通信するステップと、
前記装置からワイヤレス通信ネットワークを介して通知メッセージを受信するステップと、
前記通知メッセージを前記ユーザに提示することにより前記ユーザに通知するステップとを有する、方法。
【請求項１４】
プロセッサが請求項１２又は請求項１３に記載の方法を実行するのを可能にする、コンピュータプログラム。
【請求項１５】
請求項１４に記載のコンピュータプログラムを有する、記憶デバイス。
【発明の詳細な説明】
【技術分野】
【０００１】
本発明は、通信ネットワークの分野に関するものであり、より詳しくは、ユーザが装置とインタラクトした後に該装置のユーザに通知するための斯様なネットワークの使用に関する。
【背景技術】
【０００２】
オーブン、洗浄機、ブレッドメーカ及び類似の電気機器は、これらの役目を果たすためにいくらかの時間を費やす。しかし、ユーザアクションは、例えば焦げた食品、しわのある衣類又は硬いパンを回避するために、これらの電気機器が終えた直後に好まれる。これらのデバイスは、典型的には、これらが果たされたときにユーザに信号を送るためにアラート機能を備えている。しかしながら、オーディオアラートが作動する時点で同じ部屋にいない場合、これを容易に逃し得る。この理由のため、数人の人は、モバイルデバイスに対してプッシュ通知を電気機器に送信させるという考えを有する。斯様な電気機器の一例は、一旦タスクを完了すると無線ＬＡＮネットワークを介してモバイルデバイスに通知を送信する洗浄機である。この方法では、モバイルフォンの数が洗浄機のプロセッサに前もって入力されることを必要とする。
【０００３】
刊行物ＷＯ２０１１／０９５５６７は、通知が電気機器によりセットトップボックスに送信されるシステムを述べている。数人の異なるユーザは、テレビを見るときに通知され得る。しかしながら、彼らは、一旦部屋を出ると、接続されたテレビの如何なる通知も見ることができない又は聞くことができないだろう。
【発明の概要】
【発明が解決しようとする課題】
【０００４】
本発明の目的は、従来から知られているシステムよりもフレキシブルであるシステムを提供することにある。
【課題を解決するための手段】
【０００５】
この目的のために、本発明の第１の態様によれば、ユーザに通知するための通知システムが提供される。本システムは、タスクを実行するように構成された装置を有する。この装置は、例えばタスクが食品を加熱することであるキッチン家電（例えばオーブン）であってもよい。また、本装置は、公共輸送サービスの券売機であってもよい。本システムは、装置のタスクについてユーザに通知するためのモバイル通知デバイスを更に有する。本装置は、タスクがユーザにより開始されるとモバイル通知デバイスが装置の近くにある場合にモバイル通知デバイスを自動的に検出し、タスクをモバイル通知デバイスに関連付けるように構成されてもよい。装置及び通知デバイスは、ワイヤレス通信ネットワークを介して通知メッセージを通信するように構成される。この通知メッセージは、食品が調理されることをユーザに示すメッセージのような、タスクに関する情報を有する。
【０００６】
モバイル通知デバイスを自動的に検出することにより、装置は、（ほぼおそらく）タスクを開始した人にメッセージを送信することができる。本発明においては、ほとんどの状況において当てはまる開始者が通知されることを必要とすることが想定される。本発明の利点は、ユーザが装置に対して如何なる命令も与えることなく自動的に通知されることである。彼女は、まさに例えばオーブンを起動しなければならない、及び、装置からの通知メッセージを受信するように構成されたモバイルフォンを着用しなければならない。装置をモニタする必要はない。ユーザは、通知されるだろうという認識において自由に移動するのを許容される。
【０００７】
一実施形態において、ワイヤレス通信ネットワークは、ＷＬＡＮ又はセルラーネットワークである。これらのネットワークは、装置の付近を離れて、彼女が他の部屋、屋外、又は、その途中のような他の場所にいるときにタスクについて通知されたいユーザに通知メッセージを送信するのに非常に適している。
【０００８】
本発明の第２の態様によれば、タスクを実行するための装置が提供される。この装置は、タスクがユーザにより開始されとモバイル通知デバイスが装置の近くにある場合にモバイル通知デバイスを自動的に検出するように構成される。本装置は、タスクをモバイル通知デバイスに関連付け、ワイヤレス通信ネットワークを介してモバイル通知デバイスに通知メッセージを通信するだろう。通知メッセージは、タスクに関連した情報を有する。
【０００９】
一実施形態において、本装置は、短距離無線通信技術（例えば、Ｂｌｕｅｔｏｏｔｈ）を用いてＩＤ要求を送信し、モバイル通知デバイスからＩＤを受信することによりモバイル通知デバイスを検出するように構成される。
【００１０】
一実施形態において、本装置は、ＡＤＡ（Active Digital Aura）通信のような身体結合通信技術を用いてモバイル通知デバイスを検出するように構成される。この目的のために、装置は、装置のタスクが開始されたときに装置に接触している手を介して信号を受信及び送信するように構成されたＡＤＡコミュニケータを有してもよい。タスクの開始者は、ＡＤＡを介して通信するように構成された腕時計又は他のウェアラブルなものを着用してもよい。この手法において、開始者は、装置に接触したので装置により通知され、これは、他のいかなるアクションも通知サービスを開始するために必要とされないため、非常に便利である。
【００１１】
一実施形態において、本装置は、４メートルより小さい範囲内、又は、好ましくは１メートルより小さい範囲内でのみ通信するように構成された短距離コミュニケータを有する。これらの範囲は、タスクの開始者である、装置の近くの正しい人を検出するのに非常に適している。例えば、人がオーブンを起動した場合、彼女は装置の１メートルの範囲内にいるだろう。（最もおそらく）その範囲内の唯一の人であるだろう。４メートル未満（例えば３メートル）の範囲は、装置が口頭の態様における指示（即ち、音声での指示）を与える機能を有し得る状況において有益であり得る。より大きな範囲がもちろん考えられる。
【００１２】
一実施形態において、装置は、キッチン家電（例えばオーブン又は洗浄機）を有する。斯様なキッチン家電は、多くの場合注意を必要とするので、前記の機能を有することは斯様なアプリケーションのために非常に有益である。
【００１３】
更なる実施形態において、装置は、公共交通機関のユーザインタラクション端末を有する。ユーザは、例えばバス、電車、ボート又は飛行機により移動する前にチケットを買うために、斯様な装置とインタラクトするだろう。ユーザが券売機でチケットを買うか又は空港でチェックインするとすぐに、彼のポータブルデバイスは、移動計画の変更、遅延、出発等のための通知に対して自動的に予約するだろう。旅行者が斯様な通知サービスに対して能動的に予約する必要はない。彼が通知を得るまで、旅行者がそれを知ることなく全てが実行されるためである。
【００１４】
本発明の第３の態様によれば、ユーザに通知するためのモバイル通知デバイスが提供される。デバイスは、短距離通信技術、ＷＬＡＮ、セルラーネットワーク又は身体結合通信技術を用いて装置にＩＤを通信するように構成される。そして、デバイスは、装置から通知メッセージを受信し、この通知メッセージをユーザに示すことによりユーザに通知するだろう。
【００１５】
一実施形態において、モバイル通知デバイスは、モバイルフォン、腕時計、ブレスレット、ネックレス、メガネ、リング又はスマートテキスタイルであってもよい。全てのこれらのモバイルデバイス及びウェアラブルなものは、先に述べた通りのモバイル通知装置として構成されることができ、ユーザにより容易に持ち運ばれ得る。
【００１６】
モバイル通知デバイスは、ユーザから指示を受信するためのユーザ入力モジュールと、通知メッセージが他の通知デバイスに送信される必要があることを示すルート変更指示をユーザ入力を介してユーザから受信するように構成されたプロセッサとを有してもよい。そして、プロセッサは、無線ネットワークによって装置にルート変更メッセージを送信するだろう。代わりに、ルート変更メッセージは、通知メッセージのルーティングを処理するサーバに送信されてもよい。この手法において、タスクの開始者は、モバイル通知装置にコマンドを入力することにより他の人に通知が送信されるのを可能にする。
【００１７】
本発明の別の態様によれば、装置のタスクをユーザに通知する方法が提供される。この方法は、タスクがユーザにより開始されるとモバイル通知デバイスが装置の近くにある場合にモバイル通知デバイスを自動的に検出することを有する。そして、タスクをモバイル通知デバイスに関連付け、ワイヤレス通信ネットワークを介してモバイル通知デバイスに通知メッセージを通信する。通知メッセージは、タスクに関する情報を有する。
【００１８】
本発明の別の態様によれば、装置のタスクをモバイル通知デバイスのユーザに通知する方法が提供される。本方法は、短距離通信技術、ＷＬＡＮ、セルラーネットワーク又は身体結合通信技術を用いて装置にＩＤを通信することを有する。そして、装置から通知メッセージを受信し、この通知メッセージをユーザに示すことによりユーザに通知する。
【００１９】
本発明の別の態様によれば、プロセッサが先に述べた方法のうちの１つを実行するのを可能にするコンピュータプログラム製品が提供される。
【００２０】
本発明の更なる態様によれば、先に述べたコンピュータプログラム製品を有するデータキャリアが提供される。
【００２１】
本発明によるデバイス及び方法の更なる好ましい実施形態は、添付の特許請求の範囲において与えられ、その開示は参照によりここに取り込まれる。
【００２２】
本発明のこれらの及び他の態様は、以下の説明において例により述べられる実施形態を参照して、及び、添付の図面を参照して、明らかになり、更に説明されるだろう。
【図面の簡単な説明】
【００２３】
【図１】一実施形態による、ユーザに通知するための通知システムを示す。
【図２】一実施形態による洗浄機及びモバイル通知デバイスの一例を示す。
【図３】モバイル通知デバイスの他の実施形態を示し、ここでは、モバイル通知デバイスはスマート腕時計である。
【図４】一実施形態によるユーザに通知するための通知システムを図式的に示す。
【図５】本発明の一態様の一実施形態による方法のフロー図を示す。
【図６】本発明の一態様の一実施形態による他の方法のフロー図を示す。
【図７】本発明の他の態様によるデータキャリアの一例を概略的に示す。
【図８】本発明の他の態様によるデータキャリアの一例を概略的に示す。
【発明を実施するための形態】
【００２４】
図は単に図表であり、実寸では描かれていない。図において、既に述べられた要素に対応する要素は、同じ参照符号を有し得る。
【００２５】
図１は、一実施形態による、ユーザに通知するための通知システムを示している。システムは、タスクを実行するように構成された装置１を有する。一実施形態において、装置は、キッチン家電である。装置１は、洗濯物を洗うというタスクを有する洗浄機であってもよい。オーブン又は調理器具のような任意の他のキッチン家電であってもよい。更なる実施形態において、装置１は、公共輸送機関のための端末であってもよい。端末は、旅行者を登録するためにバス内にあってもよく、又は、旅行者がチェックインする、バス停若しくは空港の端末であってもよい。装置１が輸送システムの端末である場合において、旅行者及び他の移動情報（例えば、バス出発時間又はフライトスケジュール）を管理するように構成されたサーバ（図１において図示省略）と通信してもよい。
【００２６】
また、図１におけるシステムは、装置１のタスクについてユーザに通知するためのモバイル通知デバイス２を有する。装置１及びモバイル通知デバイス２は、短距離無線通信技術（例えば、Ｂｌｕｅｔｏｏｔｈ、Ｚｉｇｂｅｅ、ＡＮＴ、広角ビーム赤外線、ＮＦＣ（Near Field Communication）、超音波通信、又は、任意の他の短距離通信技術）によりモバイル通知デバイス２のＩＤを通信するように構成される。代わりに、通信は、身体結合通信技術（例えば、ＡＤＡ（active digital aura））を用いて実現されてもよい。
【００２７】
図１において、矢印３は、装置１によりモバイルデバイス２に送信されるＩＤ要求を示す。モバイル通知デバイス２は、要求を受信したことに対する応答として、モバイルデバイスのＩＤを返すだろう（矢印４参照）。装置１は、モバイル通知デバイス２の、例えばＩＰアドレス、電話番号、電子メールアドレス又はツイッターアカウントであり得るＩＤを格納するためのメモリ（図示省略）を有してもよい。
【００２８】
装置１は、モバイル通知デバイス２にワイヤレス通信ネットワーク８を介して通知メッセージを通信するように構成される（矢印９，１０参照）。ワイヤレス通信ネットワーク８は、セルラー通信ネットワーク、ＷＬＡＮ（Wide Local Area Network）ネットワーク、又は、比較的長い距離に渡って通信することができるワイヤレス通信ネットワークの任意の他のタイプであってもよい。通知メッセージは、装置１により実行されるタスクに関する情報を有する。洗浄機の例において、通知メッセージは、洗浄サイクルが完了したことを示してもよい。そして、ユーザは、しわのある衣類又は他の不所望な洗濯物の状態を回避するために、洗浄機から洗濯物を適時に除去することができるだろう。
【００２９】
正しいモバイル通知デバイスに通知メッセージを送信するために、装置１は、一度に１つのモバイルデバイスＩＤのみを格納するように構成されてもよい。換言すれば、たった１つだけのモバイル通知デバイスしか、装置１の通知サービスに対して予約され得ない。タスクが終わると、装置は、格納されたモバイルデバイスＩＤをメモリから除去することにより、又は、予約がアクティブではないことを示すフラグをセットすることにより、関連した予約を終了するだろう。格納されたアクティブなＩＤは、他の新たなモバイル通知デバイスがそのＩＤを装置１に通信するとすぐに、他のＩＤにより上書きされてもよい。代わりに、装置１は、１つを超えるＩＤを格納するように構成されてもよく、この場合、装置１は、装置１により実行されたタスクの予約を有する複数のモバイル通知デバイス２に通知を送信することができる。
【００３０】
ＩＤ要求及び対応する応答が必ずしも同じ通信技術を介して進行する必要があるわけではないことに留意されたい。例えば、メガネ（例えば、Ｇｏｏｇｌｅ  Ｇｌａｓｓ）におけるビデオカメラが電気器具のアドレスを表すＱＲコード又はバーコードと組み合わせてコンピュータビジョンを介して電気器具を認識するという実施形態が可能である。応答して、メガネは、そのＩＤを、名前のアドレス、即ちその時点でＩＤを受信するのを待っている電気機器に発行する。更に他の実施形態において、通知デバイスは、（例えば、キッチン照明において（電気機器アドレスと）一体化された局所的に符号化された照明を介して）電気機器周辺の限られたゾーンに入ることを検出する。更に他の実施形態において、限られたゾーンは、インドアローカライゼーション技術（例えば、Ｗｉ−Ｆｉ三角測量）を介して検出され、この場合、電気機器は、その限られたゾーンを（例えば、Ｗｉ−Ｆｉ上のサーバを介して）何らかの形で通知デバイスに発行すべきであり、通知デバイス上のアプリは、限られたゾーンに入ったときにそのＩＤを電気機器に開示すべきである。
【００３１】
上で述べられたように、装置は洗浄機であってもよい。図２は、一実施形態による洗浄機２１及びモバイル通知デバイス２２の一例を示している。洗浄機１は、短距離コミュニケータ２３とプロセッサ２４と長距離コミュニケータ２５とを有する。洗浄機２１のプロセッサ２４は、短距離コミュニケータ２３及び長距離コミュニケータ２５の双方に使用可能な状態で結合される。モバイル通知デバイス２２は、この例においては、短距離コミュニケータ２８、プロセッサ２９及び長距離コミュニケータ３０を有する。モバイル通知デバイス２２のプロセッサ２９は、短距離コミュニケータ２８及び長距離コミュニケータ３０の双方に使用可能な状態で結合される。更に、モバイル通知デバイス２２は、音声メッセージ又は信号によってユーザに通知するためにプロセッサ２９により制御されるラウドスピーカ３１を有する。振動モジュール、又は、メッセージを示すためのディスプレイのような、ユーザ出力モジュールの全ての種類の他のタイプがユーザに通知するために用いられてもよいことに留意されたい。
【００３２】
図２に示されるように、洗浄機２１は、ユーザからの指示を受信するためのユーザインタフェース３４を有してもよい。ユーザは、洗浄プログラム及び／又は温度をセットしてもよい。次に、彼は、洗浄を始めるために開始ボタンを押してもよい。開始ボタンを押すことは、短距離通信技術（例えば、Ｂｌｕｅｔｏｏｔｈ）を用いて洗浄機の付近のユーザにＩＤ要求を送信するためにプロセッサ２４をトリガしてもよい。一実施形態において、１メートルの範囲内の人は、洗浄機２１の担当者であるとみなされる。ＩＤ要求は、ユーザによりもたらされるモバイル通知デバイス２２により受信されるだろう。モバイル通知デバイス２２は、同じ短距離技術を用いて洗浄機２１にそのＩＤを返すことにより応答するだろう。洗浄機２１がモバイル通知デバイス２２のＩＤを受信すると、ユーザが洗浄機２１から離れるときにモバイル通知デバイス２２を持ち運ぶだろうという前提の下でユーザを追跡することができるだろう。
【００３３】
洗浄機２１は、ユーザが洗浄機２１から通知を受け取りたい場合にユーザにより押され得るｆｏｌｌｏｗ−ｍｅボタン（図示省略）を有してもよい。この場合、ユーザは、能動的に通知に問い合わせているのに対し、前の実施形態において、ユーザは、アクションが必要とされる場合、又は、洗浄機２１の準備ができている場合に、自動的に通知されるだろう。
【００３４】
ここで、ユーザが食事を作るためにオーブンを用いている一例が与えられる。この例では、オーブンは、タスク（即ち、食べ物を加熱する）を有する装置である。適切な通知デバイスを持ち運んでいるか又は着用しているユーザは、例えば９０分の間、食べ物を調理するためにオーブンをセットするとき、食事の準備ができたときにオーブンにより通知されるように自動的に予約する。オーブンをセットしているか又はプログラムしている間、又は、その直後に、オーブンは、短距離ネットワーク化システム（例えば、Ｂｌｕｅｔｏｏｔｈ、身体結合通信、ＡＮＴ又はＺｉｇｂｅｅ）を介してユーザのモバイル通知デバイスへの接続を開始する。このネットワークシステムの範囲は、電気機器を操作しているユーザのモバイル通知デバイス（例えば、モバイルフォン、スマートウォッチ又はスマートグラス）だけが接続されて通知サービスに予約されるように、調整されてもよいことに留意されたい。スマートウォッチに関して、電気機器とインタラクトする手の手首に着用される場合、０．５ｍの範囲で十分であり、スマートフォン又はメガネのような他のデバイスは、より大きな範囲（例えば１．５ｍ）を必要とし得る。
【００３５】
料理の間、ユーザは、任意のアクション（例えば、食品を撹拌又は回転させる）が彼の側から必要とされる場合、又は、何かが間違った方に進んでいる場合に、彼のモバイルデバイス上でプッシュ通知を受信するだろう。最終的に食事が準備できたという通知を伴う。その時点で、ユーザの通知予約は終了し、彼は、再び予約しない限り任意の将来の通知を受け取らないだろう。
【００３６】
図３は、モバイル通知デバイスが腕時計のバンド４２によりユーザ（破線を参照）の手首４１に取り付け可能なスマートウォッチ４０であるモバイル通知デバイスの他の実施形態を示している。この例では、スマートウォッチ４０は、身体結合技術を用いて、ユーザの体を介して信号を送信及び受信するためのＡＤＡ（active digital aura）モジュール４３を有する。また、スマートウォッチ４０は、ＷＬＡＮ又はセルラーネットワークを介して通信するように構成された長距離コミュニケータ４４を有する。長距離コミュニケータ４４を介して、ユーザは、装置１により通知されてもよい。
【００３７】
適切に機能する図３の実施形態において、腕時計４０のＩＤを要求している装置１は、身体結合通信をサポートすることを必要とする。この目的を達成するために、装置１は、ユーザがスクリーンにタッチするとＡＤＡモジュール４３と通信するように構成されるタッチスクリーンを有してもよく、又は、装置１は、ＡＤＡトランシーバとともに構成される１又はそれ以上のボタン（図示省略）を有してもよい。ボタンは、装置１を動作させるための通常の制御ボタンであってもよく、又は、ユーザが装置１の将来の状態変化に関して通知されたいことを示すためにタッチ又は押圧することができるｆｏｌｌｏｗ−ｍｅボタンのような別個のボタンであってもよい。ＡＤＡのような身体結合通信技術はタッチに基づいてモバイルデバイス識別を提供するので、装置１が誤ったＩＤに予約するというリスクは非常に小さくなるだろう。
【００３８】
上記した実施形態は、電気機器（即ち装置）を用いている特定のユーザが彼のアクションが必要とされる電気機器からの如何なる通知も逃さないことを保証する。しかし、ローカルアラームが生成されない場合、他のユーザは彼らによりセットされていないアラームによっては邪魔されないだろう。これは、学生の家、寮のような、多くのユーザを伴う家庭において有益であり得る。更に、幾つかの興味深い特徴がこのように可能にされ得る。電気機器は完了の推定された時間に（オンデマンドの）更新を送信することができ、従って、ユーザは、彼のモバイルデバイス上で、電気機器が完了する前にどれくらいの時間を要するかをチェックすることができる。彼は、これをチェックするために電気機器まで歩く必要はない。
【００３９】
一実施形態において、予約されたユーザが自宅を出る必要があるか、又は、任意の他の理由のためにもはや実行中の電気機器を処理することができない場合、その後、彼は、そのうちに電気機器を処理する責任を引き継ぐように家における他のユーザに通知予約を伝えることができる。これは、例えばユーザ間でこれを引き渡すのを可能にする特定のアプリにより行われ得る。ユーザが依然として実行中の予約を伴って自宅を出る場合、これは、Ｗｉ−Ｆｉホームネットワークから切断され、ＧＰＳを介して、又は、任意の他の手段により、検出され得る。そして、ユーザは、彼が予約した実行中の電気機器が依然として存在するという警告を得ることができる。そして、彼は、手動で又は自動委任を介して自宅における他のユーザに予約を譲り渡すことができるか、又は、電気機器が完了する前に彼が時間内に戻ることを確認することができる。これに加えて、又は、代替として、通知システムは、予約を引き継ぐというオプションを伴って、一次ユーザが電気機器の動作範囲内にもはやいないという検出を他ユーザに自動的に通知してもよい。誰かが引き継ぐ場合、他のユーザは通知されるだろう。
【００４０】
システムは、例えば家における他ユーザを妨害しないように、関連付けられたモバイルデバイスにのみ最初の通知を示してもよい。しかしながら、ユーザが特定の時間内に又はモバイル通知デバイス２上に最初の通知の特定の時間の後に返答しない場合、電気機器は、自身で、周辺の他の人々に通知するように通知を示してもよい。場合により、これらの通知は、Ｗｉ−Ｆｉホームネットワーク上に現在存在する全てのデバイスに送信されてもよい。
【００４１】
範囲及びすぐ近くのユーザに依存して、装置１は、電気機器を操作しているユーザの隣の他のユーザを識別してもよいことに留意されたい。この場合、選択及び確認機能は、Ｂｌｕｅｔｏｏｔｈ接続プロトコルから今日知られているような、装置１が正しいモバイル通知デバイスに接続するように、実行されてもよい。代わりに、複数のモバイルデバイスが装置１により検出される場合、（範囲内において最も近いと想定される）最も強い近い範囲の無線接続を有するモバイルデバイスが、ＩＤ要求を受信するために自動的に選択されてもよい。この問題は、身体結合通信が用いられるときにはあまり生じないことに留意されたい。
【００４２】
すぐ近くのウェアラブル又はモバイル通知デバイスの自動関連付けに対する代替手段として、ユーザは、例えばＮＦＣで可能にされる関連付け及び電気機器の通知サービスのその後の予約のために電気機器の近くのモバイルデバイスを保持することにより、それらのデバイスを手動で関連付けてもよい。
【００４３】
上記した実施形態は、ユーザのデバイスに対して意義がある通知予約サービスを提供することができる任意の電気機器、即ち、アラームクロック、オーブン、クッキングプレート、ミールメーカ、ブレッドメーカ、フライヤ、洗浄機、及び、乾燥機、食洗機、水調理具、コーヒーメーカ等に適用され得る。消費者向けエリアに加えて、プロフェッショナルな電気器具も考えられ得る。これは、先の例を、おそらくベーカリ、製造ライン及びプロセス産業のような任意の産業において複数のユーザにより使用される或る処理時間を伴うマシンまで拡張することができる。受信部分において、スマートウォッチ、モバイル（スマート）フォン及びタブレットのような、ユーザに対して通知をレンダリング可能な任意のデバイスが用いられ得るが、メガネ、ブレスレット、リング及びスマートテキスタイル等のような任意の将来のウェアラブルエレクトロンクスも用いられ得る。
【００４４】
更なる実施形態において、装置１は、公共交通ユーザ制御システムの部分である。装置は、ユーザがバス、電車、ボート又は飛行機により移動する前にインタラクトする端末５１であってもよい（図４参照）。ユーザが券売機でチケットを買うか又は空港でチェックインするとすぐに、彼のポータブルデバイスは、移動計画の変更、遅延、出発等のための通知に対して自動的に予約してもよい。彼の行程が終わったときに、通知サービスへの接続は自動的に終了され得る。これは、例えば図４を参照して説明されるだろう。
【００４５】
図４は、一実施形態によるユーザに通知するための通知システムを図式的に示している。システムは、タスクを実行するように構成された（即ち、フライトチケットを供給する）端末５１（例えば券売機）を有する。また、端末５１は、端末５１に関連付けられたサーバにユーザを登録するだろう。サーバは、ユーザに対して飛行時間情報を提供するように構成されてもよい。ユーザが券売機５１からチケットを受け取ると、彼のモバイルフォン又は任意の他のモバイル通知デバイスは、端末５１からＩＤ要求を受信し（矢印３参照）、短距離通信技術を用いて端末にそのＩＤを返信してもよい（矢印４参照）。端末５１は、セルラー通信ネットワーク８を介してサーバ５３と通信するように構成される（矢印９及び５４参照）。代わりに、端末５１は、他のネットワークを介して（例えば、エアポートコンピュータネットワークとして、又は、インターネットを介して）サーバ５３と通信してもよい（矢印５５参照）。モバイルフォン５２のＩＤが端末５１で登録されると、端末は、サーバ５３へＩＤを転送してもよい。サーバは、ＩＤ及びＩＤに関連した移動情報を管理するように構成されてもよい。サーバ５３が例えば飛行時間の関連した変化を通知される場合、セルラーネットワーク８を介してユーザのモバイルフォン５２に通知を送信してもよい（矢印５６参照）。従って、この方法において、場合により通知サービスに予約されたことを知ることなく、旅行者が自動的に通知される。旅行者に不所望の将来の通知を送信するのを回避するために、サーバ５３は、移動計画における最後の飛行機が離陸を開始するまで、又は、旅行者が最後のゲートを通過するまで、モバイルフォン５２に対して特定の通知のみを送信するように構成されてもよい。
【００４６】
図５は、本発明の一態様の一実施形態による方法５００のフロー図を示している。方法５００は、モバイル通知デバイス（例えば、図２に示されたモバイルフォン２２）により、より詳しくはプロセッサ２９により実行され得る。装置のタスクについて通知デバイス２；２２；４０のユーザに通知する方法５００は、短距離通信技術、ＷＬＡＮ、セルラーネットワーク又は身体結合通信技術を用いて装置１にＩＤを通信することを開始する（ブロック５０１参照）。次に、通知メッセージが装置１から受信される（ブロック５０２参照）。そして、ブロック５０３において、ユーザは、通知メッセージをユーザに提示することにより通知される。
【００４７】
図６は、本発明の一態様の一実施形態による方法６００のフロー図を示している。方法６００は、装置１（例えば、図２に示された洗浄機）により、より詳しくはプロセッサ２４により実行され得る。装置のタスクについてユーザに通知する方法６００は、前記タスクがユーザにより開始されるとモバイル通知デバイスが前記装置の近くにある場合にモバイル通知デバイス２；２２；４０を自動的に検出するのを開始する（ブロック６０１参照）。そして、ブロック６０２において、方法は、タスクをモバイル通知デバイスに関連付けるよう進行する。関連付けが行われると、装置は、ワイヤレス通信ネットワークを介してモバイル通知デバイス１に、前記タスクに関連した情報を有する通知メッセージを通信してもよい（ブロック６０３参照）。
【００４８】
図７は、本発明の更なる態様の一例を概略的に示しており、これは、モバイル通知デバイス２；２２；４０；５２のプロセッサが図５の方法を実行するのを可能にするコンピュータプログラム製品７１０を有するデータキャリア７００に関する。
【００４９】
図８は、本発明の更なる態様の一例を図式的に示しており、これは、装置１；２１；５１のプロセッサが図６の方法を実行するのを可能にするコンピュータプログラム製品８１０を有するデータキャリア８００に関する。光ディスクとして示されるにもかかわらず、他のデータキャリア（より詳しくは、フラッシュドライブ及びポータブルハードディスクドライブのような、データストレージにおける当業者にとって知られているような不揮発性記憶デバイスを供給するデータキャリア）も予想される。
【００５０】
本発明の実施形態において、モバイル通知デバイス２は、ユーザからの指示を受信するためのユーザ入力モジュール（例えば、図１に示された入力キー１１）を有してもよい。ここで、モバイル通知デバイスのプロセッサは、他のユーザが通知されることを必要とすることを示す転送指示を、ユーザ入力１１を介してユーザから受信するように構成されてもよい。そして、プロセッサは、長距離コミュニケータ３０によって、装置１；２１；５１に、又は、図４のサーバ５３に、ルート変更メッセージを送信してもよい（図２参照）。タッチスクリーン又は特定のコマンドボタン若しくはキーのような全ての種類の既知の入力モジュールがモバイル通知デバイス２内又は上に存在し得ることが明らかである。代わりに、ユーザは、スピーチにより転送指示を入力してもよい。
【００５１】
明確さのための上記の説明は、異なる機能的なユニット及びプロセッサを参照して本発明の実施形態を述べていることが明らかになるだろう。しかしながら、異なる機能的なユニット又はプロセッサの間の機能の任意の適切な分配が本発明から逸脱することなく用いられ得ることが明らかであるだろう。例えば、別々のユニット、プロセッサ又はコントローラにより実行されるように示された機能は、同じプロセッサ又はコントローラにより実行されてもよい。それ故、特定の機能ユニットへの参照は、厳しい論理的又は物理的な構造又は組織を示すよりはむしろ、記述された機能を供給するための適切な手段への参照としてのみ理解されるべきである。本発明は、ハードウェア、ソフトウェア、ファームウェア又はこれらの任意の組み合わせを含む任意の適切な形式において実装され得る。
【００５２】
この文書において、"有する"という用語は、記載されたもの以外の他の要素又はステップの存在を除外するものではなく、要素の単数表記は斯様な要素の複数の存在を除外するものではなく、任意の参照符号は請求項の範囲を限定するものではなく、本発明は、ハードウェア及びソフトウェアの双方によって実装されてもよく、幾つかの"手段"又は"ユニット"は、ハードウェア又はソフトウェアの同じアイテムにより表されてもよく、プロセッサは、場合によりハードウェア要素と協働して、１又はそれ以上のユニットの機能を成し遂げてもよいことに留意されたい。更に、本発明は、実施形態に限定されるものではなく、本発明は、前述した又は相互に異なる従属請求項において記載されたそれぞれの新規な特徴又は複数の特徴の組み合わせを含む。
【図１】
0006454702.tif 000002
【図２】
0006454702.tif 000003
【図３】
0006454702.tif 000004
【図４】
0006454702.tif 000005
【図５】
0006454702.tif 000006
【図６】
0006454702.tif 000007
【図７】
0006454702.tif 000008
【図８】
0006454702.tif 000009